(57)【要約】【課題】通話部を使用中に予め定めた時間内で他の通話部に精度よく切替える。【解決手段】通信端末は、各々が、異なる通信回線を経由して通話するための複数の通話部と、複数の通話部を切替える制御部（７）と、を備え、制御部は、通話のために通信回線が接続されている時間を計測する接続時間計測部と、通話部の切替えに要する切替時間を取得する時間取得部と、を含む。制御部は、複数の通話部のうちの１つの通話部による通話中に、接続時間計測部による計測時間が、予め定めた時間と切替時間との差よりも長いと判定した場合に、通話が継続されるよう当該１つの通話部から他の通話部に切替えるように構成される。【選択図】図２
2015033078.tif 000002
【特許請求の範囲】
【請求項１】
各々が、異なる通信回線を経由して通話するための複数の通話部と、
前記複数の通話部を切替える制御部と、を備え、
前記制御部は、
通話のために通信回線が接続されている時間を計測する接続時間計測部と、
前記通話部の切替えに要する切替時間を取得する時間取得部と、を含み、
前記制御部は、
前記複数の通話部のうちの１つの通話部による通話中に、前記接続時間計測部による計測時間が、予め定めた時間と前記切替時間との差よりも長いと判定した場合に、通話が継続されるよう当該１つの通話部から他の通話部に切替えるように構成される、通信端末。
【請求項２】
前記時間取得部は、
前記通話中に前記通話部が切替えられるとき、前記切替に要する時間を計測する切替時間計測部を含む、請求項１に記載の通信端末。
【請求項３】
前記切替時間計測部は、前記通話部が切替えられる毎に前記切替に要する時間を計測し、
前記切替時間は、前記切替時間計測部が前記通話部が切替えられる毎に前記切替時間計測部によって計測された時間の代表値を示す、請求項２に記載の通信端末。
【請求項４】
前記通信回線は、無線通信回線を含み、
前記通話中に、受信信号の強度と予め定めた強度とを比較し、比較結果から、前記接続時間計測部の計測を停止させるか否かを判定する、請求項１から３のいずれかに記載の通信端末。
【請求項５】
前記通話部は、
データ通信網を経由した通話機能を有するデータ通信網経由通話部と、
電話網を経由した通話機能を有する電話網経由通話部と、を含み、
前記１つの通話部は、前記データ通信網経由通話部および前記電話網経由通話部のうちの一方であり、前記他の通話部は、前記データ通信網経由通話部および前記電話網経由通話部のうちの他方である、請求項１から４のいずれかに記載の通信端末。
【発明の詳細な説明】
【技術分野】
【０００１】
本発明は通信端末に関し、特に、異なる種類の通話機能を備える通信端末に関する。
【背景技術】
【０００２】
携帯電話サービスを提供している携帯通信キャリア（以下、単にキャリアという）を、切換えながら利用する方法が各種提案されている。
【０００３】
通信品質が所定の通信品質レベル以下となったときに最適な音声通信方式に切替える技術が特許文献１（国際公開第２０１３／０４６６９１号）および特許文献２（特開２００６−００５７７２号公報）、および特許文献３（特開２００９−１０５９３７号公報）に開示される。また、特許文献４（特開平１０−１５５０３４号公報）には、あらかじめ設定された時間だけ接続が継続した場合に、電話回線を介した通信を、インターネットを介した通信に切替える技術が開示される。
【先行技術文献】
【特許文献】
【０００４】
【特許文献１】国際公開第２０１３／０４６６９１号
【特許文献２】特開２００６−００５７７２号公報
【特許文献３】特開２００９−１０５９３７号公報
【特許文献４】特開平１０−１５５０３４号公報
【発明の概要】
【発明が解決しようとする課題】
【０００５】
一般に、キャリア毎に異なる料金体系のサービスが提供されている。あるキャリアは月々決められた回数までどこに電話をかけても定額料金で提供するサービスを提供する。但し、一回当たりの通話時間があらかじめ決められており、その通話時間以内が定額料金の範囲となる。あらかじめ決められた通話時間を超えると超過分に課金されるというものである。通話定額サービスを利用する場合に、定額料金が適用される時間を超えて通話をする場合には、ビープ音やバイブによって警告が通知される、または、自動的に通話を切断するといった方法が考えられる。
【０００６】
しかし、途中で通話を切断してしまうと会話の用件が終わっていない場合には電話をかけ直さなければならないため、ユーザの手間が増える。
【０００７】
上記の特許文献１〜３により提案される方法では、通話などの音声通信方式を切替える方法を提案するが、通話定額サービスを利用して通話料金を安く抑えるという技術を提供するものではない。
【０００８】
また、特許文献４では、予め設定された時間に基づいて、電話回線を介した通信をインターネット経由の通信に切替えるが、切替えに要する時間を考慮していないために、予め設定された時間を超えて、電話回線を介した通信が継続するおそれがあり、確実性に優れない。
【０００９】
それゆえに本発明の目的は、複数の通信部を切替えて使用する場合に、一の通話部を使用中に予め定めた時間内で他の通話部に精度よく切替えることができる通信端末を提供することである。
【課題を解決するための手段】
【００１０】
この発明のある局面に従う通信端末は、各々が、異なる通信回線を経由して通話するための複数の通話部と、複数の通話部を切替える制御部と、を備え、制御部は、通話のために通信回線が接続されている時間を計測する接続時間計測部と、通話部の切替えに要する切替時間を取得する時間取得部と、を含む。制御部は、複数の通話部のうちの１つの通話部による通話中に、接続時間計測部による計測時間が、予め定めた時間と切替時間との差よりも長いと判定した場合に、通話が継続されるよう当該１つの通話部から他の通話部に切替えるように構成される。
【発明の効果】
【００１１】
本発明によれば、通話中に、接続時間計測部による計測時間が、予め定めた時間と切替時間との差よりも長いと判定した場合に、通話が継続されるよう通話部を切替えるから、予め定めた時間内で他の通話部に精度よく切替えられる。
【図面の簡単な説明】
【００１２】
【図１】本発明の実施の形態１に係る移動体端末が使用する通信ネットワークの一例を示す図である。
【図２】本発明の実施の形態１に係る移動体端末のブロック構成を示す図である。
【図３】本発明の実施の形態１に係る移動体端末の機能構成示す図である。
【図４】本発明の実施の形態１に係る記憶内容の一例を示す図である。
【図５】本発明の実施の形態１に係る通信シーケンスの一例を示す図である。
【図６】本発明の実施の形態１に係る通信シーケンスの一例を示す図である。
【図７】本発明の実施の形態１に係る通信シーケンスの一例を示す図である。
【発明を実施するための形態】
【００１３】
以下本発明の実施の形態について図面を参照し詳細に説明する。なお、同一の構成要素には各図において同一の符号を付し、詳細な説明は繰返さない。
【００１４】
本実施の形態では、通信端末として、スマートフォン、携帯電話、タブレット型端末などの携帯可能な移動体端末を説明するが、移動体端末に限定されず通信機能を有する据置型の情報処理端末であってもよい。
【００１５】
[実施の形態１]
＜システム構成＞
図１は、本発明の実施の形態１に係る移動体端末が使用する通信ネットワークの一例を示す図である。図１を参照して、通信ネットワークは、移動体端末１と対向機１Ａ、インターネット２００を経由した通信網、ＰＨＳ（Personal Handy Phone System）電話網３００およびＷ−ＣＤＭＡ（Wideband Code Division Multiple Access）電話網４００を経由した通信網、および異なる通信網を接続するためのＩＧＳ（Interconnecting Gateway Switch：ゲート交換機）１３０を備える。ＩＧＳ１３０は、インターネット２００とＰＨＳ電話網３００とを接続するＩＧＳと、Ｗ−ＣＤＭＡ電話網４００とＰＨＳ電話網３００とを接続するＩＧＳとを含む。さらに、通信ネットワークは、インターネット２００に接続されるユーザＩＤ（Identifier）管理サーバ１４０および無線ＬＡＮ（Local Area Network）アクセスポイント１２０ａ，１２０ｂ、ならびにＷ−ＣＤＭＡ電話網４００に接続される基地局１１０およびＰＨＳ電話網３００に接続される基地局３００を備える。ユーザＩＤ管理サーバ１４０は、図示しないメモリを利用して、ユーザＩＤとＩＰ（Internet Protocol）アドレスをひもづけて管理する機能を有する。なお、通信ネットワークにおける移動体端末１の台数は、２台に限定されず、実際には３台以上が接続される。
【００１６】
移動体端末１は、ＰＨＳ電話網３００を経由した通話機能（以下、ＰＨＳ通話ともいう）とデータ通信網であるインターネット２００を経由した通話機能（以下、インターネット通話ともいう）を有する。移動体端末１は、ＰＨＳ電話網３００を経由した通話に対して上記の通話定額サービスが適用されるものとする。対向機１Ａは、Ｗ−ＣＤＭＡ網４００を経由した通話機能とインターネット２００を経由したインターネット通話の機能を有する。
【００１７】
図１の通信ネットワークでは、インターネット２００上で音声通話を行うための、いわゆるＶｏＩＰ（Voice over Internet Protocol）が適用される。ＶｏＩＰは、コンピュータネットワークなどのデータ通信網に適用されるデータ通信プロトコルを利用して、音声情報を伝送し、移動体端末１と対向機１Ａとの間でのインターネット通話を可能にする。
【００１８】
移動体端末１および対向機１Ａは、無線ＬＡＮによるデータ通信機能（後述するインターネット通話部７４）を搭載することで、無線ＩＰ（Internet Protocol）電話機能を有する。無線ＩＰ電話機能は、無線ＬＡＮの基地局である無線ＬＡＮアクセスポイント１２０ａ，１２０ｂ周辺でインターネット通話を可能にすると共に、ローミング機能の実現により、基地局間を移動しながらのインターネット通話も可能にする。
【００１９】
ここでは、移動体端末１と対向機１Ａとの通信を説明する。対向機１Ａには、移動体端末１と同様の機能を有した端末を適用することもできる。
【００２０】
動作において、移動体端末１がＰＨＳ電話網３００を経由したＰＨＳ通話を行う場合、最寄りの基地局１００、ＰＨＳ電話網３００、ＩＧＳ１３０、Ｗ−ＣＤＭＡ電話網４００、基地局１１０を経由した無線通信路であるパスが確立される。インターネット通話を行う場合にはＩＰパスが確立される。一般的には、移動体端末１は、ユーザＩＤ管理サーバ１４０と通信することにより、通話したい相手である対向機１ＡのユーザＩＤにひもづけされたＩＰアドレスを取得し、取得したＩＰアドレスによって対向機１Ａとの通信路であるＩＰパスを確立する。
【００２１】
ここでは、移動体端末１と対向機１ＡのユーザＩＤと、これにひもづけされたＩＰアドレスが、ユーザＩＤ管理サーバ１４０の図示されないメモリに登録されているものとし、また、移動体端末１は対向機１ＡのユーザＩＤを予め取得しているものとする。移動体端末１が対向機１Ａとインターネット２００を経由したインターネット通話を行う場合、移動体端末１はユーザＩＤ管理サーバ１４０から対向機１ＡのＩＰアドレスを取得し、取得したＩＰアドレスを使って、無線ＬＡＮアクセスポイント１２０ａ、インターネット２００、および無線ＬＡＮアクセスポイント１２０ｂを経由するＩＰパスを確立する。
【００２２】
＜移動体端末の構成＞
図２は、本発明の実施の形態１に係る移動体端末のブロック構成を示す図である。図２を参照し、移動体端末１は、ＣＰＵ（Central Processing Unit）９、タイマ１０、メモリなどを有するマイクロプロセッサに相当する制御部７、無線通信を制御するための通信制御部８を備える。さらに、制御部７に接続されたキーなどの操作部２、ディスプレイに相当する表示部３、ＲＯＭ（Read Only Memory），ＲＡＭ（Random Access Memory）などの揮発性および不揮発性のメモリからなる記憶部４、スピーカなどの音声出力部５、およびマイクなどの音声入力部６を備える。操作部２はユーザの操作内容を受付けるためのキー，ボタンなどからなり、操作部２と表示部３とは一体的に構成されてタッチパネルとして機能するとしてもよい。また、制御部７には、メモリドライバ７ａが接続される。メモリドライバ７ａは、外部からカード型記憶媒体であるメモリカード７ｂが着脱自在に装着される。メモリカード７ｂが装着されると、制御部７の制御指令に従いメモリカード７ｂについてデータの読み書きを行う。
【００２３】
通信制御部８は、アンテナ８７を介しＰＨＳプロトコルに従った無線通信をするためのＰＨＳ無線部８１、アンテナ８６を介しＷｉＦｉ（登録商標：Wireless Fidelity）のプロトコルに従った無線通信をするためのＷｉＦｉ無線部８２、ＰＨＳ圏外・圏内判定部８３、ＷｉＦｉ圏外・圏内判定部８４、および回線切断検出部８５を含む。
【００２４】
ＰＨＳ圏外・圏内判定部８３は、ＰＨＳ無線部８１がアンテナ８７から無線信号を受信すると、受信信号の電界強度を取得し、取得した電界強度と制御部７から与えられる予め定められた電界強度とを比較し、比較結果から、移動体端末１が基地局１００と無線通信可能な領域に位置するか否か、すなわちＰＨＳ通信圏外か圏内かの判定結果を出力する。
【００２５】
同様に、ＷｉＦｉ圏外・圏内判定部８３は、ＷｉＦｉ無線部８２がアンテナ８６から無線信号を受信すると、受信信号の電界強度を取得し、取得した電界強度と制御部７から与えられる予め定めた電界強度とを比較し、比較結果から、移動体端末１が無線ＬＡＮアクセスポイント１２０ａと無線通信可能な領域に位置するか否か、すなわちＷｉＦｉ通信圏外か圏内かの判定結果を出力する。
【００２６】
回線切断検出部８５は、ＰＨＳ通信の期間において、ＰＨＳ無線部８１による受信信号から、ＰＨＳ電話網３００を経由した通信回線の切断を表す信号を検出し、検出結果を出力する。同様に、ＷｉＦｉ通信の期間において、ＷｉＦｉ無線部８２による受信信号から、インターネット２００を経由した通信回線の切断を表す信号を検出し、検出結果を出力する。通信回線の切断を表す信号は、通信相手の対向機１Ａ側で通話終了時等にオンフック操作されたときに送信される回線切断の信号を示す。
【００２７】
図３は、本発明の実施の形態１に係る移動体端末１の機能構成を示す図である。図４は、本発明の実施の形態１に係る記憶内容の一例を示す図である。移動体端末１は、キャリアサービス会社との間で、ＰＨＳ電話網３００を経由したＰＨＳ通話を通話定額対象にする契約をし、また、インターネット２００を経由したインターネット通話も通話定額対象にする契約をしていると想定する。図４を参照し、記憶部４には、ＰＨＳ電話網３００を経由したＰＨＳ通話の通話定額時間を示すＰＨＳ定額時間データ４１、インターネット２００を経由したインターネット通話の通話定額時間を示すインターネット定額時間データ４２、およびＩＰパス確立に要する時間長さを示すパス確立時間データ４３が格納される。例えば、契約内容が『通話開始から１０分までは無料』であることを示す場合には、ＰＨＳ定額時間データ４１およびインターネット定額時間データ４２は、“１０分”を示す。パス確立時間データ４３の取得方法については、後述する。
【００２８】
図３を参照して、移動体端末１の制御部７は、通信処理部７０、通話に関する時間をタイマ１０の計時データを用いて計測する時間計測部７５、計測された時間と記憶部４のＰＨＳ定額時間データ４１またはインターネット定額時間データ４２が示す時間とを比較し、計測時間が定額時間を超えるか否かを判定する超過判定部７８を備える。
【００２９】
通信処理部７０は、操作部２が受付けたユーザのオフフック操作等に従い通話開始のための処理を行うオフフック処理部７１、操作部２が受付けたユーザのオンフック操作等に従い通話終了のための処理を行うオンフック処理部７２、ＰＨＳ無線部８１を介してＰＨＳ通話を行うためのＰＨＳ通話部７３、およびＷｉＦｉ無線部８２を介してインターネット通話を行うためのインターネット通話部７４を含む。
【００３０】
時間計測部７５は、通話に係る回線接続がされている時間を計測するための通話時間計測部７６、およびパス確立時間計測部７７を含む。通話時間計測部７６は、ＰＨＳ圏外・圏内判定部８３からの判定結果が“圏内”であることを示すと判定するとき、ＰＨＳ通話に係る回線接続時間を計測する。また、ＷｉＦｉ圏外・圏内判定部８４からの判定結果が“圏内”であることを示すと判定するとき、インターネット通話に係る回線接続時間を計測する。このように、移動体端末１の制御部７は、通話中に、受信信号の電界強度と予め定めた電界強度とを比較し、比較結果から、通話時間計測部７６による回線接続時間の計測を一時停止させるか否かを判定するように構成される。
【００３１】
パス確立時間計測部７７は、ＰＨＳ圏外・圏内判定部８３からの判定結果が“圏内”であることを示すと判定するとき、ＩＰパス確立に要する時間を計測する。図３の各部の機能は、プログラムまたは回路、またはこれらの組合わせにより実現される。
【００３２】
なお、図２〜図４に示す移動体端末１の構成は、対向機１Ａも同様に適用することが可能である。
【００３３】
＜通信シーケンス＞
図５、図６および図７は、本発明の実施の形態１に係る通信シーケンスの一例を示す図である。通信シーケンスを参照して、移動体端末１と対向機１Ａとの間で、ＰＨＳ通話とインターネット通話を切替えて通話を継続する方法を説明する。なお、移動体端末１と対向機１Ａは、ＰＨＳ圏内およびＷｉＦｉ圏内であって、且つ無線ＬＡＮアクセスポイント１２０ａ，１２０ｂと通信可能な場所に位置していると想定する。
【００３４】
まず、移動体端末１のユーザは、通話を開始するために、操作部２を介してオフフック操作をする。すなわち、対向機１Ａの電話番号宛てにＰＨＳ通話の発信操作をする（ステップＳ１０１）。
【００３５】
オフフック処理部７１は、発信操作を受付けると、操作内容に基づく発呼要求をＰＨＳ通話部７３に出力する。ＰＨＳ通話部７３は、ＰＨＳ無線部８１に発呼要求を送信させる。対向機１Ａは、基地局１００、ＰＨＳ電話網３００、ＩＧＳ１３０、および基地局１１０を経由して当該発呼要求を受信すると、着信動作を行う（ステップ１０２）。
【００３６】
対向機１Ａのユーザが発呼の着信に応答して、オフフック操作をすると（ステップＳ１０３）、対向機１Ａから基地局１１０、ＩＧＳ１３０、ＰＨＳ電話網３００および基地局１００を経由して、移動体端末１に発呼応答が送信され、移動体端末１と対向機１Ａとの間で無線通信パスが確立される。本実施の形態１では、ＰＨＳ通話を通話定額対象とする契約がなされているため、移動体端末１は通話定額対象の通話を開始したことになる。
【００３７】
移動体端末１では、ＰＨＳ通話部７３が、ＰＨＳ無線部８１を介し対向機１Ａからの発呼応答を受信すると、音声入力部６からの音声によるＰＨＳ通話が開始される。通話時間計測部７６は発呼応答の受信から通話のための回線接続時間の計測を開始し（ステップＳ１０４）、計測時間を出力する。
【００３８】
超過判定部７８は一定時間ごとに、通話時間計測部７６からのＰＨＳ通話の計測時間と、記憶部４のＰＨＳ定額時間データ４１が示す定額時間とを比較し、比較結果から、計測時間が通話定額時間を超過していないかを判定する（ステップＳ１０５）。通話定額時間を超過していないと判定した場合は、ＰＨＳ通話部７３はＰＨＳ通話を継続する（ステップＳ１０５でＮＯ）。
【００３９】
計測時間が通話定額の時間を超過したと判定した場合（ステップＳ１０５でＹＥＳ）、超過判定部７８の判定出力に従い、通話時間計測部７６は時間の計測を終了し（ステップＳ１０６）、インターネット通話部７４は、ＷｉＦｉ無線部８２を介し、インターネット通話の開始要求信号を送信する（ステップＳ１０７）。発信した開始要求信号には、インターネット通話要求と現在通話中の対向機１ＡのユーザＩＤが含まれる。このユーザＩＤは、記憶部４などに予め格納される。
【００４０】
インターネット通話部７４が、インターネット通話の開始要求信号を送信すると、パス確立時間計測部７７は、タイマ１０の計時データを用いてＩＰパス確立に要する時間の計測を開始する（ステップＳ１０８）。具体的には、インターネット通話部７４は、上記のインターネット通話要求によって、ユーザＩＤ管理サーバ１４０に対し、対向機１ＡのＩＰアドレスを問合わせる。ユーザＩＤ管理サーバ１４０は問合わせに応じて、対向機１ＡのユーザＩＤをキーにメモリを検索し、ひも付けされた対向機１ＡのＩＰアドレスを取得し、要求元の移動体端末１に返信する。移動体端末１のインターネット通話部７４は、受信したＩＰアドレスを使って対向機１Ａ宛てにインターネット通話の接続要求を送る。対向機１Ａから、当該接続要求に対応の接続応答を受信すると、移動体端末１と対向機１Ａとの間でインターネット２００を経由したＩＰパスが確立される。ＩＰパスが確立されたとき、両者間でインターネット通話が可能な状態となる。
【００４１】
対向機１Ａから、接続要求に対応の接続応答を受信したとき、すなわちＩＰパスが確立されたと判定されたとき、パス確立時間計測部７７は時間計測を終了する（ステップＳ１０９）。パス確立時間計測部７７による計測されたＩＰパス確立に要した時間は、パス確立時間データ４３として記憶部４に格納される。
【００４２】
ＩＰパスが確立されたと判定されると、オンフック処理部７２は、ＰＨＳ電話網３００を経由した通話回線を切断するオンフック処理を行う（ステップＳ１１０）。このオンフック処理によりＰＨＳ通話の回線切断がされると、音声入力部６からの音声は、ＰＨＳ通話部７３から、インターネット通話部７４に入力されるように切替えられる。インターネット通話部７４は、音声を入力しインターネット通話を開始する（ステップＳ１１１）。
【００４３】
対向機１Ａは、上記の接続応答の送信の後に、ＰＨＳ通話の回線切断信号を受信するとＰＨＳ通話を中断し、インターネット通話に切替える。
【００４４】
移動体端末１では、ＰＨＳ通話からインターネット通話に切替わると、通話時間計測部７６はタイマ１０からの計時データに基づきインターネット通話のための回線接続時間の計測を開始し（ステップＳ１１２）、計測時間を出力する。
【００４５】
超過判定部７８は一定時間ごとに、通話時間計測部７６からのインターネット通話の計測時間と、記憶部４のインターネット定額時間データ４２が示す定額時間とを比較し、比較結果から、計測時間が通話定額の時間を超過していないか判定する（ステップＳ１１３）。通話定額の時間を超過していないと判定した場合は、インターネット通話部７４は、ンターネット通話を継続する（ステップＳ１１３でＮＯ）。
【００４６】
計測時間が通話定額の時間を超過したと判定した場合（ステップＳ１１３でＹＥＳ）、通話時間計測部７６はインターネット通話のための回線接続時間の計測を終了する（ステップＳ１１４）。また、ＰＨＳ通話部７３は、超過判定部７８の判定結果に基づき、ＰＨＳ無線部８１に、対向機１Ａと通話するための発呼要求を送信させる。発呼要求が、基地局１００、ＩＧＳ１３０、ＰＨＳ電話網３００、および基地局１１０を経由して対向機１Ａに送られると、対向機１Ａは着信動作を行う（ステップ１０２）。
【００４７】
対向機１Ａのオフフック処理部７１は、着信に応答して、移動体端末１に発呼応答を送信する。ＰＨＳ通話部７３が発呼応答を受信すると、移動体端末１と対向機１Ａとの間で無線通信パスが確立される。無線通信パスが確立されると、すなわち発呼応答を受信すると、インターネット通話部７４はインターネット通話を終了し、インターネット２００経由のＩＰパスを切断する（ステップＳ１１８）。音声入力部６からの音声は、インターネット通話部７４からＰＨＳ通話部７３に与えられるように切替えられて、ＰＨＳ通話部７３は、入力する音声に基づき、無線通信パスを経由して、ＰＨＳ通話を開始する（ステップＳ１１９）。
【００４８】
その後、ステップＳ１２０からステップＳ１２７では、ＰＨＳ通話部７３によるＰＨＳ通話からインターネット通話部７４によるインターネット通話へ切替える処理が示される。ステップＳ１２０からステップＳ１２７の処理では、ステップＳ１２１を除き、ステップＳ１０４からステップＳ１１１の処理とほぼ同じである。
【００４９】
ステップＳ１２１では、超過判定部７８は、通話時間計測部７６が計測するＰＨＳ通話のための回線接続時間が、ＰＨＳ定額時間データ４１が示す時間を超過しているか否かを、パス確立時間データ４３に基づき判定する。
【００５０】
具体的には、ＰＨＳ通話の回線接続時間と、（ＰＨＳ定額時間−パス確立時間）に従う算出時間とを比較する。比較結果から、ＰＨＳ通話の回線接続時間が当該算出時間を超過すると判定すると(ステップＳ１２１でＹＥＳ）、通話時間計測部７６による時間の計測は終了する。また、インターネット通話部７４は、ＷｉＦｉ無線部８２を経由してインターネット通話の発信を行なう。インターネット通話の発信を行った後、パス確立時間計測部７７は、発信先端末である対向機１ＡとのＩＰパス確立に要する時間を計測する（ステップＳ１２４〜Ｓ１２５）。ＩＰパス確立が検出されると、パス確立時間計測部７７は時間計測を終了し、計測時間を、パス確立時間データ４３として記憶部４に格納する。
【００５１】
上記の通信シーケンスは、通話が終了したとき、例えば、通話中に対向機１Ａでオフフック操作がされて回線切断検出部８５が回線切断信号を受信したときに終了し、通話時間計測部７６は時間計測を停止する。
【００５２】
本実施の形態では、ＰＨＳ通話からインターネット通話に切替える際には、ＰＨＳ通話定額サービスが適用される時間（ＰＨＳ定額時間データ４１）からパス確立時間データ４３が示す時間を差し引いた時間と、計測されているＰＨＳ通話の回線接続時間との比較から、ＰＨＳ通話からインターネット通話に切替えるか否かを判定する。これにより、ＰＨＳ通話が、ＰＨＳ通話定額サービスが適用される時間を超えて継続する事態を防止することができる。
【００５３】
[実施の形態２]
ここでは、実施の形態１の変形例が示される。実施の形態１では、ステップＳ１２１において、ＰＨＳ定額時間データ４１から差し引きされるパス確立時間データ４３は、直前に測定されたＩＰパス確立に要した時間から取得するとしたが、取得方法はこれに限定されない。パス確立時間計測部７７は、例えば、ＩＰパス確立に要した時間の代表値から取得するとしてもよい。つまり、パス確立時間計測部７７は計測したパス確立時間を、記憶部４に蓄積して履歴データとして格納するように動作する。そして、格納されている複数のパス確立時間から代表値（平均、最頻値、最大値、最小値など）を算出して取得する。  
【００５４】
また、実施の形態１では、ＰＨＳ通話およびインターネット通話の両方が、通話定額対象にされたが、一方のみが通話定額対象であるとしてもよい。その場合には、通話は、通話定額対象の通話方式から開始し、定額時間を超えると判定したときは、他方の非定額対象の通話方式に切替えて通話を継続し、その後、通話定額対象の通話方式に切替えて通話を継続し、定額時間を超えると判定したときは、他方の非定額対象の通話方式に再度、切替えて通話をする。このように、非定額対象の通話方式を有する場合でも、通話定額対象の通話方式と、非定額対象の通話方式とを交互に切替えて通話を継続すれば、通話に係る料金を安くすることができる。
【００５５】
また、実施の形態１では、移動体端末１は、ＰＨＳ通話とインターネット通話の２種類の通話機能を有するとしたが、通話の種類は、この２種類に限定されず３種類以上であってもよい。
【００５６】
また、通話時間計測部７６は、通話中に、ＰＨＳ圏外・圏内判定部８３またはＷｉＦｉ圏外・圏内判定部８４の判定結果から、移動体端末１が圏外に位置していると検出する期間は、計時を一時的に停止して、その後、圏外から圏内に位置したことを検出したとき計時を再開する。
【００５７】
また、ＰＨＳ通話中に、ＰＨＳ圏外・圏内判定部８３の判定結果から、移動体端末１が圏外に位置していると検出する期間は、ＰＨＳ通話からインターネット通話に切替えて通話を継続し、逆に、インターネット通話中に、ＷｉＦｉ圏外・圏内判定部８４の判定結果から、移動体端末１が圏外に位置していると検出する期間は、インターネット通話からＰＨＳ通話に切替えて通話を継続する。
【００５８】
[実施の形態３]
上述した実施の形態では、上記の通信シーケンスに従う通信のためのプログラムは、移動体端末１に付属するメモリカード７ｂなどのように、コンピュータ（ＣＰＵ９等）が読取り可能な記録媒体に非一時的に記録させて、プログラム製品として移動体端末１に提供することもできる。あるいは、インターネット２００などの各種ネットワークを介して通信制御部８により受信し記憶部４の予め定めた記憶領域へのダウンロードによって、プログラムを提供することもできる。
【００５９】
提供されるプログラム製品は、プログラム自体と、プログラムが非一時的に記録された記録媒体とを含む。
【００６０】
本実施の形態では、実施の形態１と２で示した通信の方法を、ＣＰＵ９に相当するコンピュータを用いて実行するプログラムが提供されるとともに、当該プログラムを記録した機械読取り可能な記録媒体が提供される。
【００６１】
＜実施の形態の構成＞
実施の形態では、通話定額サービス対象の通信方式を含む複数の通信方式による通話が可能な移動体端末１が提供される。このような移動体端末を使って、定額料金が適用される間は通話定額対象の通信方式で通話を行い、定額料金が適用される時間を超過する場合には、会話を継続したまま他の通信方式による通話に切替える。
【００６２】
さらに、切替時には、他の通信方式による接続が確立するまでの時間を計測する。そして、次回以降の、通話定額対象の通信方式から他の通信方式に切替える際には、計測されている切替えに要する時間を考慮した切替えることによって、定額料金が適用される時間を超える前に、通信方式を切替えることができる。
【００６３】
通信端末（移動体端末１）は、各々が、異なる通信回線を経由して通話するための複数の通話部（ＰＨＳ通話部７３、インターネット通話部７４）と、複数の通話部を切替える制御部（制御部７）と、を備え、制御部は、通話のために通信回線が接続されている時間を計測する接続時間計測部（通話時間計測部７６）と、通話部の切替えに要する切替時間を取得する時間取得部（パス確立時間計測部７７）と、を含む。制御部は、複数の通話部のうちの１つの通話部による通話中に、接続時間計測部による計測時間が、予め定めた時間と切替時間との差よりも長いと判定した場合に（Ｓ１２１でＮＯ）、通話が継続されるよう当該１つの通話部から他の通話部に切替えるように構成される。
【００６４】
好ましくは、時間取得部は、通話中に通話部が切替えられるとき、切替に要する時間を計測する切替時間計測部（Ｓ１０８〜Ｓ１０９）を含む。
【００６５】
好ましくは、切替時間計測部は、通話部が切替えられる毎に切替に要する時間を計測し、切替時間は、切替時間計測部が通話部が切替えられる毎に切替時間計測部によって計測された時間の代表値を示す。
【００６６】
好ましくは、通信回線は、無線通信回線を含み、ＰＨＳ圏外・圏内判定部８３またはＷｉＦｉ圏外・圏内判定部８４は、通話中に、受信信号の強度（電界強度）と予め定めた強度とを比較し、比較結果から、接続時間計測部の計測を停止させるか否かを判定する。
【００６７】
好ましくは、通話部は、データ通信網を経由した通話機能を有するデータ通信網経由通話部（インターネット通話部７４）と、電話網を経由した通話機能を有する電話網経由通話部（ＰＨＳ通話部７３）と、を含む。上記の１つの通話部は、データ通信網経由通話部および電話網経由通話部のうちの一方であり、上記の他の通話部は、データ通信網経由通話部および電話網経由通話部のうちの他方である。
【００６８】
＜実施の形態の効果＞
通話定額サービスが適用される通信方式を利用して通話することができる。また、定額料金が適用される時間を超えた場合に、一旦他の通信方式に切替えた後、再度通話定額が適用される通信方式に戻すように切替えることによって、会話を途切れさせることなく、通話定額サービスの超過分を最小限に抑えることができる。
【００６９】
さらに、他の通信方式による接続が確立するまでの時間を計測しておき、次回、通話定額サービス対象の通信方式から他の通信方式に切替える際、切替えにかかる時間を考慮して切替えることによって、定額料金が適用される通話時間を超える前に通話方式を切替えることができる。
【符号の説明】
【００７０】
１  移動体端末、１Ａ  対向機、２  操作部、３  表示部、４  記憶部、５  音声出力部、６  音声入力部、７  制御部、８  通信制御部、１０  タイマ、４１  ＰＨＳ定額時間データ、４２  インターネット定額時間データ、４３  パス確立時間データ、７５  時間計測部、７６  通話時間計測部、７７  パス確立時間計測部、７８  超過判定部、１００，１１０，３００  基地局、１２０ａ，１２０ｂ  アクセスポイント、１４０  ユーザＩＤ管理サーバ、２００  インターネット、３００  ＰＨＳ電話網、４００  Ｗ−ＣＤＭＡ電話網。
【図１】
2015033078.tif 000003
【図２】
2015033078.tif 000004
【図３】
2015033078.tif 000005
【図４】
2015033078.tif 000006
【図５】
2015033078.tif 000007
【図６】
2015033078.tif 000008
【図７】
2015033078.tif 000009